(57)【要約】  【課題】樹脂製雨水貯留材を利用して短い工期及び少ない手間で地中に埋設してなる雨水貯留装置を設営できるようにしつつ、樹脂製雨水貯留材を利用する際に発生する樹脂製雨水貯留材内部への土砂などの流入を効果的に抑える。  【解決手段】地中に埋設してなる雨水貯留装置Ｓに、筒状コンクリート製品たるボックスカルバート１ａを環状に配して形成してなり内部に形成される貯留空間１ｓに雨水を導入する流入管１ｘ及び前記貯留空間１ｓから雨水を排出する流出管１ｙに連通する一次貯留槽１と、前記一次貯留槽１により囲繞される空間に樹脂製雨水貯留材２１を利用して形成してなる二次貯留槽２と、前記一次貯留槽１の貯留能力を超える分の雨水を前記二次貯留槽２に一時的に貯留させるための流出入制御手段３とを具備させる。  【選択図】図２
2006348476.tif 000002
【特許請求の範囲】
【請求項１】
地中に埋設してなるものであって、筒状コンクリート製品を環状に配して形成してなり内部に形成される貯留空間に雨水を導入する流入管及び前記貯留空間から雨水を排出する流出管に連通する一次貯留槽と、前記一次貯留槽により囲繞される空間に樹脂製雨水貯留材を利用して形成してなる二次貯留槽と、前記一次貯留槽の貯留能力を超える分の雨水を前記二次貯留槽に一時的に貯留させるための流出入制御手段とを具備することを特徴とする雨水貯留装置。
【請求項２】
地中に埋設してなるものであって、筒状コンクリート製品を線状に配して形成してなり内部に形成される貯留空間に雨水を導入する流入管及び前記貯留空間から雨水を排出する流出管に連通する一次貯留槽と、前記一次貯留槽にコンクリート製品を隣接させて配してなり前記一次貯留槽との間に二次貯留空間を形成する壁部と、前記二次貯留空間に配した樹脂製雨水貯留材を利用して形成してなる二次貯留槽と、前記一次貯留槽の貯留能力を超える分の雨水を前記二次貯留槽に一時的に貯留させるための流出入制御手段とを具備することを特徴とする雨水貯留装置。
【請求項３】
前記流出入制御手段が、前記一次貯留槽と前記二次貯留槽とを連通する中間流入口と、この中間流入口より下方に位置し前記二次貯留槽に貯留した水を前記一次貯留槽に排出する逆止弁とを具備することを特徴とする請求項１又は２記載の雨水貯留装置。
【請求項４】
前記一次貯留槽が、前記流入管に臨む流入部と、前記流出管に臨む余水吐け部と、前記流入部と余水吐け部との間に位置する貯留部と、前記貯留部と前記余水吐け部との間に配した流出量制御手段とを具備することを特徴とする請求項１、２又は３記載の雨水貯留装置。
【請求項５】
前記流出量制御手段が、筒状コンクリート製品の内部に起立させて設けた越流壁と、この越流壁の下部に形成した小排出口とを具備することを特徴とする請求項４記載の雨水貯留装置。
【請求項６】
前記流出入制御手段の中間流入口の下端の高さ位置を、前記越流壁の上端の高さ位置近傍に設定していることを特徴とする請求項５記載の雨水貯留装置。
【請求項７】
前記一次貯留槽の前記流入部と前記貯留部との間に、前記貯留部内への浮遊物の流入を防ぐ浮遊物除去壁を設けていることを特徴とする請求項３、４、５又は６記載の雨水貯留装置。
【請求項８】
前記一次貯留槽に、沈殿物を貯留しておく沈殿物貯留部を設けていることを特徴とする請求項１、２、３、４、５、６又は７記載の雨水貯留装置。
【請求項９】
前記一次貯留槽の上面に管理を行う者が通過可能な管理孔を設けていることを特徴とする請求項１、２、３、４、５、６、７又は８記載の雨水貯留装置。
【発明の詳細な説明】
【技術分野】
【０００１】
本発明は、雨水を下水や河川に放流する前に貯留しておく雨水貯留装置に関する。
【背景技術】
【０００２】
近年、道路の舗装が進んだこと等により、雨水が地面に浸透することなく直接下水や河川に放流され、そのことにより河川や下水が大幅に増水し、浸水被害が引き起こされやすくなる事態が発生している。
【０００３】
このような事態の発生に対応して、地中にコンクリート製品により構成した雨水貯留装置を埋設し、雨水を一旦この雨水貯留装置に貯留してから下水や河川に放流することが考えられている。（例えば、特許文献１を参照。）
また、雨水を下水や河川に放流する前に貯留しておく雨水貯留装置としては、樹脂製雨水貯留材を利用して形成し、地中に埋設しておくものも考えられている。（例えば、特許文献２を参照。）
【特許文献１】特許２５４３６６７号公報
【特許文献２】特開２００５−２６２０号公報
【発明の開示】
【発明が解決しようとする課題】
【０００４】
しかして、特許文献１記載の構成では、コンクリートを打設して底版を形成し、この底版上にコンクリート製品である壁部材及び柱部材を固定し、その後壁部材と柱部材との間及び柱部材相互間にコンクリート製品である梁部材を配設し、梁部材上にこの雨水貯留装置の上面を形成するコンクリート製品である床部材を配設して、梁部材間の部位にコンクリートを打設して雨水貯留装置を形成している。そのため、梁部材間の部位に打設したコンクリートが固まってからでないと埋め戻しを行うことができないので、工期がその分だけ長くなる。
【０００５】
一方、特許文献２記載の構成を採用すると、雨水貯留装置内部に土砂が侵入しないようにすべく、また、貯留した雨水が側方に逃げないようにすべく、雨水貯留装置の側方に防水シートを設ける必要がある。すなわち、この防水シートを設ける手間がかかる。さらに、樹脂製雨水貯留材は軽量であるので、年月の経過に伴い樹脂製雨水貯留材がずれて雨水貯留装置の機能が低下する不具合が起こりうる。また、前記防水シートが年月の経過に伴い破損すると破損箇所から土砂が侵入し、雨水貯留装置の機能が低下する不具合も起こりうる。
【０００６】
本発明は、このような課題を解決すべく構成するものである。
【課題を解決するための手段】
【０００７】
すなわち本発明に係る雨水貯留装置は、地中に埋設してなるものであって、筒状コンクリート製品を環状に配して形成してなり内部に形成される貯留空間に雨水を導入する流入管及び前記貯留空間から雨水を排出する流出管に連通する一次貯留槽と、前記一次貯留槽により囲繞される空間に樹脂製雨水貯留材を利用して形成してなる二次貯留槽と、前記一次貯留槽の貯留能力を超える分の雨水を前記二次貯留槽に一時的に貯留させるための流出入制御手段とを具備することを特徴とする。
【０００８】
このようなものであれば、樹脂製雨水貯留材を利用して形成している二次貯留槽を筒状コンクリート製品を環状に配して形成した一次貯留槽により囲繞される空間に配しているので、二次貯留槽への土砂及び側方からの雨水の侵入は一次貯留槽により阻止され、二次貯留槽の側方に遮水シートを設ける必要がなくなるとともに、二次貯留槽を軽量な樹脂製雨水貯留材により構成しているので、二次貯留槽の設営を特殊な機械を用いることなく少ない手間で行うことができる。さらに、一次貯留槽を筒状コンクリート製品を利用して形成しているので、予め工場等でこの一次貯留槽を形成するための筒状コンクリート製品を製造してから現場にこのような筒状コンクリート製品を埋設する工法を採用でき、さらにこのような一次貯留槽の埋め戻し作業と二次貯留槽の設営とを並行して行うことができるので、工期の短縮を図ることができる。
【０００９】
また、本発明に係る他の雨水貯留装置として、地中に埋設してなるものであって、筒状コンクリート製品を線状に配して形成してなり内部に形成される貯留空間に雨水を導入する流入管及び前記貯留空間から雨水を排出する流出管に連通する一次貯留槽と、前記一次貯留槽にコンクリート製品を隣接させて配してなり前記一次貯留槽との間に二次貯留空間を形成する壁部と、前記二次貯留空間に配した樹脂製雨水貯留材を利用して形成してなる二次貯留槽と、前記一次貯留槽の貯留能力を超える分の雨水を前記二次貯留槽に一時的に貯留させるための流出入制御手段とを具備することを特徴とするものが挙げられる。
【００１０】
このようなものであっても、筒状コンクリート製品を線状に配して形成した一次貯留槽及びコンクリート製品をこの一次貯留槽に隣接させて配置して形成した壁部との間に形成される二次貯留空間に樹脂製雨水貯留材を配して二次貯留槽を形成しているので、二次貯留槽内部への土砂及び側方からの雨水の侵入は一次貯留槽及び壁部により阻止される。従って、二次貯留槽の側方に遮水シートを設ける必要がなくなるとともに、壁部は一次貯留槽との間に二次貯留空間を形成できるコンクリート製品であれば例えば一般的なＬ型ブロックを利用して形成してもよく、二次貯留槽は軽量な樹脂製雨水貯留材により構成しているので、壁部及び二次貯留槽の設営を特殊な機械を用いることなく少ない手間で行うことができる。さらに、一次貯留槽を筒状コンクリート製品を利用して形成しているので、予め工場等でこの一次貯留槽を形成するための筒状コンクリート製品を製造してから現場にこのような筒状コンクリート製品を埋設する工法を採用でき、さらにこのような筒状コンクリート製品の埋め戻し作業と壁部及び二次貯留槽２の設営とを並行して行うことができるので、工期の短縮を図ることができる。なお、本発明において、「筒状コンクリート製品を線状に配する」とは、筒状コンクリート製品を一直線上に配する態様だけでなく、所定領域に形成した二次貯留空間の外周の一部を形成させるべく配置する態様全般を含み、例えば筒状コンクリート製品をＬ字形や、コの字形や、半円形や、Ｖ字形や、一部を開放した環状等に配置することを含む概念である。
【００１１】
前記二次貯留槽に前記一次貯留槽の貯留能力を超える分の雨水を一時的に貯留させる具体的な構成として、前記流出入制御手段が、前記一次貯留槽と前記二次貯留槽とを連通する中間流入口と、この中間流入口より下方に位置し前記二次貯留槽に貯留した水を前記一次貯留槽に排出する逆止弁とを具備するものが挙げられる。このようなものであれば、豪雨時、すなわち前記一次貯留槽内の貯留量が多い時に中間流入口から前記二次貯留槽に雨水を導入し、前記一次貯留槽内の貯留量が少ない時に前記二次貯留槽から前記逆止弁を介して前記一次貯留槽に排水するようにできるからである。
【００１２】
一方、小雨時等に前記一次貯留槽に一時的に雨水を貯留させ、降雨等がない時に前記一次貯留槽から雨水を排出できるようにするための具体的な態様として、前記一次貯留槽が、前記流入管に臨む流入部と、前記流出管に臨む余水吐け部と、前記流入部と余水吐け部との間に位置する貯留部と、前記貯留部と前記余水吐け部との間に配した流出量制御手段とを具備するものが挙げられる。
【００１３】
さらに、前記流出量制御手段の具体的な構成として、前記流出量制御手段が、筒状コンクリート製品の内部に起立させて設けた越流壁と、この越流壁の下部に形成した小排出口とを具備するものが挙げられる。このようなものであれば、降雨時には水面が越流壁の上端に達するまで貯留部に雨水を貯留しておき、降雨等がない時に前記小排出口から貯留部に貯留した雨水を排出できるからである。
【００１４】
前記一次貯留槽内部に落ち葉やゴミ等の浮遊物が混入しないようにするためには、前記一次貯留槽の前記流入部と前記貯留部との間に、前記貯留部内への浮遊物の流入を防ぐ浮遊物除去壁を設けていることが望ましい。
【００１５】
前記一次貯留槽及び前記二次貯留槽に貯留する水に土砂等の沈殿物が混入しないようにするには、前記一次貯留槽に、沈殿物を貯留しておく沈殿物貯留部を設けていることが望ましい。
【００１６】
前記一次貯留槽に対するメンテナンスを容易に行えるようにするための構成として、前記一次貯留槽の上面に管理を行う者が通過可能な管理孔を設けているものが挙げられる。
【発明の効果】
【００１７】
本発明に係る雨水貯留装置は、樹脂製雨水貯留材を利用して形成している二次貯留槽を筒状コンクリート製品を環状に配して形成した一次貯留槽により囲繞される空間、ないし筒状コンクリート製品を線状に配して形成した一次貯留槽と前記一次貯留槽にコンクリート製品を隣接させて配して設けた壁部との間に形成した二次貯留空間に配しているので、二次貯留槽への土砂及び側方からの雨水の侵入は一次貯留槽、及び壁部を設けた場合は壁部により阻止され、二次貯留槽の側方に遮水シートを設ける必要がなくなるとともに、二次貯留槽を軽量な樹脂製雨水貯留材により構成しているので、二次貯留槽の設営を特殊な機械を用いることなく少ない手間で行うことができる。さらに、一次貯留槽を筒状コンクリート製品を利用して形成しているので、予め工場等でこの一次貯留槽を形成するための筒状コンクリート製品を製造してから現場にこのような筒状コンクリート製品を埋設する工法を採用でき、さらにこのような一次貯留槽の埋め戻し作業と二次貯留槽の設営とを並行して行うことができるので、工期の短縮を図ることができる。
【発明を実施するための最良の形態】
【００１８】
以下、本発明の一実施形態を、図面を参照して説明する。
【００１９】
本実施形態に係る雨水貯留装置Ｓは、平面形状を図１、図１におけるａ−ａ断面形状及びｂ−ｂ断面形状を図２及び図３にそれぞれ概略的に示すように、地中に埋設してなるものであって、筒状コンクリート製品たるボックスカルバート１ａを環状に配して形成してなり内部に形成される貯留空間１ｓに雨水を導入する流入管１ｘ及び前記貯留空間１ｓから雨水を排出する流出管１ｙに連通する一次貯留槽１と、前記一次貯留槽１により囲繞される空間に樹脂製雨水貯留材２１を利用して形成してなる二次貯留槽２と、前記一次貯留槽１の貯留能力を超える分の雨水を前記二次貯留槽２に一時的に貯留させるための流出入制御手段３とを具備する。
【００２０】
具体的には、前記一次貯留槽１は、前記流入管１ｘに臨み、この一次貯留槽１の隅部に位置する流入部４と、前記流出管１ｙに臨み、前記流入部４と対角線上に位置する隅部に位置する余水吐け部５と、前記流入部４と余水吐け部５との間に位置する貯留部６と、前記貯留部６と前記余水吐け部５との間に配した流出量制御手段７とを具備し、平面視矩形状に形成している。また、この一次貯留槽１を形成するボックスカルバート１ａ間の接続は、周知の方法、例えば特開２００５−２６５７号公報に記載の方法により行うようにしている。
【００２１】
ここで、前記一次貯留槽の前記流入部４と前記貯留部６との間に、前記貯留部６内への浮遊物の流入を防ぐ浮遊物除去壁４１を設けている。具体的には、この浮遊物除去壁４１は、該当箇所のボックスカルバート１ａの頂版から垂下させて設けている。また、この一次貯留槽１において、前記流入部４及び前記貯留部６が設けられていない隅部には、該当箇所のボックスカルバート１ａの側壁に貫通孔１ｋを形成し、ボックスカルバート１ａ内部の空間同士を連通している。
【００２２】
さらに、前記流出量制御手段７は、前記貯留部６と前記余水吐け部５との境界部において、ボックスカルバート１ａの底版から該ボックスカルバート１ａ内部に起立させて設けた越流壁７１と、この越流壁７１の下部、望ましくは前記貯留空間１ｓの底面近傍の高さ位置に形成した小排出口たるオリフィス７ｘとを具備する。
【００２３】
一方、前記二次貯留槽２は、上述したように樹脂製雨水貯留材２１を利用して形成している。すなわち、この二次貯留槽２は、前記特許文献２に記載の樹脂製雨水貯留材と同様の構成を有する樹脂製雨水貯留材を利用して形成している。さらに詳述すると、この樹脂製雨水貯留材２１は、図４に斜視図、図５の（ａ）に平面図、同図の（ｂ）に側面図、同図の（ｃ）に正面図をそれぞれ示すように、平面視略正方形状をなし、辺に沿って延伸する突起２１ａを等間隔に配しているとともに、この突起２１ａの上端近傍に通水孔２１ｂを有する。そして、この二次貯留槽２は、この樹脂製雨水貯留材２１を多層に積み重ねて形成している。同一の層の樹脂製雨水貯留材２１は、前記突起２１ａが全て同一方向を向くようにしているとともに、層ごとに樹脂製雨水貯留材２１を隙間無く配置している。そして、上下方向に互いに隣接する層の前記突起２１ａは、図６に概略的に示すように、それぞれ異なる方向を向くようにしている。
【００２４】
また、前記流出入制御手段３は、前記一次貯留槽１と前記二次貯留槽２とを連通する中間流入口３ｘと、この中間流入口３ｘより下方に位置し前記二次貯留槽２に貯留した水を前記一次貯留槽１に排出する逆止弁３ｙとを具備する。
【００２５】
前記中間流入口３ｘは、ボックスカルバート１ａを矩形状に配して形成した前記一次貯留槽１の各辺の中央部に設けていて、この中間流入口３ｘの高さ位置は、その下端部を前記越流壁７１の上端近傍、その上端部を前記越流壁７１の上方に設定し、前記一次貯留槽１内の水位が前記越流壁７１の上端近傍に達した場合にのみ、水を二次貯留槽２に導入するようにしている。
【００２６】
加えて、前記一次貯留槽１には、前記中間流入口３ｘ下方の位置に、沈殿物を貯留しておく沈殿物貯留部１ｔを設けている。この沈殿物貯留部１ｔは、本実施形態では、前記一次貯留槽１の該当部位のボックスカルバート１ａの高さ寸法を大きくし、このボックスカルバート１ａの底版を他のボックスカルバート１ａの底版よりも下方に位置させ、このボックスカルバート１ａにおける他のボックスカルバート１ａの底版よりも下方の部分に沈殿物を貯留しておくようにしている。なお、沈殿物貯留部１ｔは、貯留部６のどの部位に設けてもよい。
【００２７】
加えて、本実施形態では、前記一次貯留槽１の上面に、管理を行う者が通過可能な管理孔１ｚを設けている。
【００２８】
このような雨水貯留装置Ｓの設営は、例えば以下の手順によって行う。
【００２９】
まず、前記一次貯留槽１を形成するボックスカルバート１ａを予め形成しておく。
【００３０】
次いで、雨水貯留装置Ｓを設置する箇所に穴を掘り、基礎コンクリート層を形成する。
【００３１】
それから、雨水貯留装置Ｓの外周に沿って前記ボックスカルバート１ａを配置して相互に接続し、一次貯留槽１を形成する。
【００３２】
そして、この一次貯留槽１を埋め戻すとともに、この一次貯留槽１により囲繞される空間内に樹脂製雨水貯留材２１を順次配置して二次貯留槽２を形成し、最後に二次貯留槽２を埋め戻す。
【００３３】
また、この雨水貯留装置Ｓに雨水が流入すると、雨水は以下のように雨水貯留装置Ｓに導入される。
【００３４】
まず、雨水は、前記流入管１ｘから一次貯留槽１の流入部４に導入される。この流入部４に導入された雨水に混入した落ち葉やゴミなどの浮遊物は、前記浮遊物除去壁４１により遮断され、雨水は貯留部６に導かれる。
【００３５】
貯留部６に導かれた雨水は、前記越流壁７１に向けて流れるが、その過程で土砂等の沈殿物は沈殿物貯留部１ｔに貯留される。
【００３６】
水位が前記中間流入口３ｘの下端に達しない場合には、雨水は一次貯留槽１の貯留部６内部のみに貯留される。一方、水位が前記中間流入口３ｘの下端に達した場合には、雨水はこの中間流入口３ｘから二次貯留槽２内部に導入される。その一方で、前記流出量制御手段７のオリフィス７ｘを介して一次貯留槽１の貯留部６内部から水が余水吐け部５に排出される。さらに、水位が前記越流壁７１の上端に達した場合には、この越流壁７１の上方から水が余水吐け部５を経て流出管１ｙに排出される。
【００３７】
流入管１ｘからこの雨水貯留装置Ｓに導入される水量が少なくなった際には、まず前記流出量制御手段７のオリフィス７ｘを介して一次貯留槽１の貯留部６内部から水が余水吐け部５に排出され、余水吐け部５に排出された水はさらに流出管１ｙに排出される。そして、貯留部６内部の水位が前記流出入制御手段３の逆止弁３ｙより下方に低下した際に、前記二次貯留槽２内部に雨水が貯留されていれば、前記二次貯留槽２内部に貯留された雨水が前記逆止弁３ｙから一次貯留槽１の貯留部６に向けて排出される。前記二次貯留槽２内部から一次貯留槽１の貯留部６に排出された水は、もともと一次貯留槽１の貯留部６内部に貯留されていた水と同様に前記オリフィス７ｘ及び前記余水吐け部５を介して流出管１ｙに排出される。
【００３８】
本実施形態に係る雨水貯留装置Ｓは、以上のように構成しているので、この雨水貯留装置Ｓを用いることにより以下のような効果が得られる。
【００３９】
すなわち、樹脂製雨水貯留材２１を利用して形成している二次貯留槽２をボックスカルバート１ａを環状に配して形成した一次貯留槽１により囲繞される空間に配しているので、二次貯留槽２への土砂及び側方からの雨水の侵入は一次貯留槽１により阻止され、二次貯留槽２の側方に遮水シートを設ける必要がなくなるとともに、二次貯留槽２を軽量な樹脂製雨水貯留材２１により構成しているので、二次貯留槽２の設営を特殊な機械を用いることなく少ない手間で行うことができる。さらに、一次貯留槽１をボックスカルバート１ａを利用して形成しているので、予め工場等でこの一次貯留槽１を形成するためのボックスカルバート１ａを製造してから現場にこのようなボックスカルバート１ａを埋設する工法を採用でき、さらにこのような一次貯留槽１の埋め戻し作業と二次貯留槽２の設営とを並行して行うことができるので、工期の短縮を図ることができる。
【００４０】
前記流出入制御手段３が、前記一次貯留槽１と前記二次貯留槽２とを連通する中間流入口３ｘと、この中間流入口３ｘより下方に位置し前記二次貯留槽２に貯留した水を前記一次貯留槽１に排出する逆止弁３ｙとを具備するので、豪雨時、すなわち前記一次貯留槽１内の貯留量が多い時に中間流入口３ｘから前記二次貯留槽２に雨水を導入し、前記一次貯留槽内１の貯留量が少ない時に前記二次貯留槽２から前記逆止弁３ｙを介して前記一次貯留槽１に排水するようにすることで、前記二次貯留槽２に前記一次貯留槽１の貯留能力を超える分の雨水を一時的に貯留させることができる。
【００４１】
前記一次貯留槽１が、前記流入管１ｘに臨む流入部４と、前記流出管１ｙに臨む余水吐け部５と、前記流入部４と余水吐け部５との間に位置する貯留部６と、前記貯留部６と前記余水吐け部５との間に配した流出量制御手段７とを具備するので、前記流出量制御手段７により、小雨時等に前記貯留部６に一時的に雨水を貯留させ、降雨等がない時に前記貯留部６から雨水を排出するようにできる。
【００４２】
さらに、前記流出量制御手段７が、ボックスカルバート１ａの内部に起立させて設けた越流壁７１と、この越流壁７１の下部に形成したオリフィス７ｘとを具備するので、降雨時には水面が越流壁７１の上端に達するまで前記貯留部６に雨水を貯留しておき、降雨等がない時に前記オリフィス７ｘから前記貯留部６に貯留した雨水を排出して前記貯留部６内の水量を減少させることにより、前記貯留部６内部の水量を調節できる。
【００４３】
前記一次貯留槽１の前記流入部４と前記貯留部６との間に、前記貯留部６内への浮遊物の流入を防ぐ浮遊物除去壁４１を設けているので、前記一次貯留槽１内部に落ち葉やゴミ等の浮遊物が混入しないようにできる。
【００４４】
前記一次貯留槽１に、沈殿物を貯留しておく沈殿物貯留部１ｔを設けているので、前記一次貯留槽１及び前記二次貯留槽２に貯留する水に土砂等の沈殿物が混入しないようにできる。
【００４５】
前記一次貯留槽１の上面に管理を行う者が通過可能な管理孔１ｚを設けているので、前記一次貯留槽１に対するメンテナンスを容易に行うことができる。
【００４６】
なお、本発明は以上に述べた実施の形態に限られない。
【００４７】
例えば、前記流出入制御手段３の逆止弁３ｙは、中間流入口３ｘの下方だけでなく、他の部位にも設けるようにしてもよい。また、中間流入口３ｘも、一次貯留槽１の余水吐け部５以外の部位と二次貯留槽２とを連通可能であればどの部位に設けてもよい。
【００４８】
また、一次貯留槽の流入部及び流出部の位置は任意に設定してよく、例えば同一の辺の両端にこれら流入部及び流出部を設定するようにしてもよい。
【００４９】
さらに、一次貯留槽は、筒状コンクリート製品を環状に配したものであれば、その形状は矩形状に限らず、例えば円形、楕円形、正方形状、多角形状等、任意に設定してよい。
【００５０】
加えて、本発明に係る他の雨水貯留装置として、以下に述べるようなものが考えられる。なお、以下の記載で、上述した実施形態に対応する部位には、同一の名称及び符号を付している。
【００５１】
この雨水貯留装置ＳＳは、図７に概略平面図、図８に前記図７におけるｘ−ｘ断面図をそれぞれ示すように、筒状コンクリート製品たるボックスカルバート１ａを線状に配して形成してなり内部に形成される貯留空間に雨水を導入する流入管１ｘ及び前記貯留空間から雨水を排出する流出管１ｙに連通する一次貯留槽１と、前記一次貯留槽１に鉛直ないし略鉛直な起立壁２０ａ１、２０ｂ１をそれぞれ有するコンクリート製品たる第１、第２のＬ型ブロック２０ａ、２０ｂを隣接させて配してなり前記一次貯留槽１との間に二次貯留空間２０ｓを形成する壁部２０と、前記二次貯留空間２０ｓに配した樹脂製雨水貯留材２１を利用して形成してなる二次貯留槽２と、前記一次貯留槽１の貯留能力を超える分の雨水を前記二次貯留槽２に一時的に貯留させるための流出入制御手段３とを具備する。
【００５２】
具体的には、一次貯留槽１は、ボックスカルバート１ａを一直線上に配して形成しているとともに、一端部を内部に形成される貯留空間１ｓに雨水を導入する流入管１ｘに連通させ、他端部を前記貯留空間１ｓから雨水を排出する流出管１ｙに連通させている。そして、流出管１ｙ近傍の部位、すなわち流出管１ｙと連通するボックスカルバート１ａを余水吐け部５、その他の部位を貯留部６としていて、これら余水吐け部５と貯留部６との間に、上述した実施形態におけるものと同様の構成を有する流出量制御手段７を設けている。すなわち、この流出量制御手段７は、ボックスカルバート１ａの底版から該ボックスカルバート１ａ内部に起立させて設けた越流壁７１と、この越流壁７１の下部、望ましくは前記貯留空間１ｓの底面近傍の高さ位置に形成した小排出口たるオリフィス７ｘとを具備する。なお、前記ボックスカルバート１ａは、上述した実施形態における雨水貯留装置Ｓに用いたものと同一である。
【００５３】
前記壁部２０は、図９の（ａ）に示すような第１のＬ型ブロック２０ａを、前記二次貯留槽２０の外周のうち前記一次貯留槽１により形成される部分及び隅部以外に配置するとともに、前記二次貯留槽２０の隅部に同図の（ｂ）に示すような第２のＬ型ブロック２０ｂを配して形成している。すなわち、前記一次貯留槽１及び前記壁部２０の起立壁、さらに具体的には前記第１のＬ型ブロック２０ａの起立壁２０ａ１、及び前記第２のＬ型ブロック２０ｂの起立壁２０ｂ１により前後左右方向に区画される領域を、前記二次貯留空間２０ｓとして形成している。
【００５４】
二次貯留槽２は、前記二次貯留空間２０ｓに、前記樹脂製雨水貯留材２１を配置して形成している。この樹脂製雨水貯留材２１は、前記図７においては樹脂製雨水貯留材２１の表面形状は省略して示しているが、上述した実施形態における雨水貯留装置Ｓの二次貯留槽２に用いたものと全く同様の構成を有し、全く同様に積層するようにしている。
【００５５】
また、前記流出入制御手段３は、前記一次貯留槽１と前記二次貯留槽２とを連通する中間流入口３ｘと、この中間流入口３ｘより下方に位置し前記二次貯留槽２に貯留した水を前記一次貯留槽１に排出する逆止弁３ｙとを具備する。さらに詳述すると、前記中間流入口３ｘは、ボックスカルバート１ａを矩形状に配して形成した前記一次貯留槽１の各辺の中央部に設けていて、この中間流入口３ｘの高さ位置は、その下端部を前記越流壁７１の上端近傍、その上端部を前記越流壁７１の上方に設定し、前記一次貯留槽１内の水位が前記越流壁７１の上端近傍に達した場合にのみ、水を二次貯留槽２に導入するようにしている。すなわち、この流出入制御手段３は、上述した実施形態における雨水貯留装置Ｓにおけるものと全く同様の構成を有する。なお、前記流出入制御手段３の逆止弁３ｙは、中間流入口３ｘの下方だけでなく、他の部位にも設けるようにしてもよい。また、中間流入口３ｘも、一次貯留槽１の余水吐け部５以外の部位と二次貯留槽２とを連通可能であればどの部位に設けてもよい。
【００５６】
加えて、前記一次貯留槽１には、前記中間流入口３ｘ下方の位置に、沈殿物を貯留しておく沈殿物貯留部１ｔを設けている。この沈殿物貯留部１ｔは、上述した実施形態における雨水貯留装置Ｓのものと全く同様の構成を有する。すなわち、前記一次貯留槽１の該当部位のボックスカルバート１ａの高さ寸法を大きくし、このボックスカルバート１ａの底版を他のボックスカルバート１ａの底版よりも下方に位置させ、このボックスカルバート１ａにおける他のボックスカルバート１ａの底版よりも下方の部分に沈殿物を貯留しておくようにしている。なお、沈殿物貯留部１ｔは、貯留部６のどの部位に設けてもよい。
【００５７】
さらに、この雨水貯留装置ＳＳにも、上述した実施形態における雨水貯留装置Ｓと同様に、前記一次貯留槽１の上面に管理を行う者が通過可能な管理孔１ｚを設けている。
【００５８】
そして、この雨水貯留装置ＳＳに雨水が流入すると、雨水は以下のように雨水貯留装置ＳＳに導入される。
【００５９】
まず、雨水は、前気流入管１ｘから貯留部６に導かれ、そこからさらに前記越流壁７１に向けて流れるが、その過程で土砂等の沈殿物は沈殿物貯留部１ｔに貯留される。
【００６０】
水位が前記中間流入口３ｘの下端に達しない場合には、雨水は一次貯留槽１の貯留部６内部のみに貯留させる。一方、水位が前記中間流入口３ｘの下端に達した場合には、雨水はこの中間流入口３ｘから二次貯留槽２内部に導入される。さらに、水位が前記越流壁７１の上端に達した場合には、この越流壁７１の上方から水が余水吐け部５を経て流出管１ｙに排出される。その一方で、上述した実施形態における雨水貯留装置Ｓの場合と全く同様に、前記オリフィス７ｘから水が排出される。
【００６１】
一方、この雨水貯留装置ＳＳへの雨水の流入量が少なくなると、上述した実施形態における雨水貯留装置Ｓの場合と全く同様に水が排出される。
【００６２】
このように構成した雨水貯留装置ＳＳであれば、ボックスカルバート１ａを線状に配して形成した一次貯留槽１及びコンクリート製品である第１、第２のＬ字ブロック２０ａ、２０ｂをこの一次貯留槽１に隣接させて配置して形成した壁部２０により区画される空間２０ｓに樹脂製雨水貯留材２１を配して二次貯留槽２を形成しているので、二次貯留槽２内部への土砂及び側方からの雨水の侵入は一次貯留槽１及び壁部２０により阻止され、二次貯留槽２の側方に遮水シートを設ける必要がなくなるとともに、二次貯留槽２を一般的なＬ型ブロック２０ａ、２０ｂ及び軽量な樹脂製雨水貯留材２１により構成しているので、二次貯留槽２の設営を特殊な機械を用いることなく少ない手間で行うことができる。さらに、一次貯留槽１をボックスカルバート１ａを利用して形成しているので、予め工場等でこの一次貯留槽１を形成するためのボックスカルバート１ａを製造してから現場にこのようなボックスカルバート１ａを埋設する工法を採用でき、さらにこのような一次貯留槽１の埋め戻し作業と二次貯留槽２の設営とを並行して行うことができるので、工期の短縮を図ることができる。
【００６３】
さらに、この雨水貯留装置ＳＳにおいて、流出入制御手段３及び流出量制御手段７を、上述した実施形態に係る雨水貯留装置Ｓと同様に構成しているとともに、一次貯留槽１に沈殿物を貯留しておく沈殿物貯留部１ｔを上述した実施形態に係る雨水貯留装置Ｓと同様に設けているので、上述した実施形態に係る雨水貯留装置Ｓにおけるこれらの構成を採用したことによる効果を同様に得ることができる。
【００６４】
なお、コンクリート製品を一直線状に配置して形成した一次貯留槽だけでなく、Ｌ字形や、コの字形や、半円形や、Ｖ字形や、一部を開放した環状にコンクリート製品を配置して形成した一次貯留槽であっても、このような一次貯留槽に鉛直ないし略鉛直な起立壁を有するコンクリート製品を隣接させて配して壁部を設け、これら一次貯留槽と壁部との間に二次貯留空間を形成している、すなわち一次貯留槽を二次貯留空間の外周の一部に配しているものであれば、同様の効果が得られる。
【図面の簡単な説明】
【００６５】
【図１】本発明の一実施形態に係る雨水貯留装置を示す概略平面図。
【図２】図１におけるａ−ａ断面図。
【図３】図１におけるｂ−ｂ断面図。
【図４】同実施形態に係る雨水貯留装置の二次貯留槽を形成する樹脂製雨水貯留材を示す斜視図。
【図５】同実施形態に係る雨水貯留装置の二次貯留槽を形成する樹脂製雨水貯留材を示す平面図、側面図、及び正面図。
【図６】同実施形態に係る雨水貯留装置の二次貯留槽を形成する樹脂製雨水貯留材の積層態様を示す図。
【図７】本発明の他の実施態様に係る雨水貯留装置を示す概略平面図。
【図８】図７におけるｘ−ｘ断面図。
【図９】同実施態様に係る雨水貯留装置の壁部を形成するＬ字ブロックを示す図。
【符号の説明】
【００６６】
Ｓ、ＳＳ…雨水貯留装置
１…一次貯留槽
２…二次貯留槽
２０…壁部
３…流出入制御手段
３ｘ…中間流入口
３ｙ…逆止弁
４…流入部
５…余水吐け部
６…貯留部
７…流出量制御手段
７１…越流壁
７ｘ…オリフィス
【図１】
2006348476.tif 000003
【図２】
2006348476.tif 000004
【図３】
2006348476.tif 000005
【図４】
2006348476.tif 000006
【図５】
2006348476.tif 000007
【図６】
2006348476.tif 000008
【図７】
2006348476.tif 000009
【図８】
2006348476.tif 000010
【図９】
2006348476.tif 000011